(57)【要約】【課題】準備金を各還流式紙葉収納部に補充するための紙葉補充庫（給紙装置）において、サイズの異なる異金種の紙葉を併せて収容した一つの紙葉補充庫から各還流式紙葉収納部の還流ユニットに対して各金種の紙葉を補充することを可能とする。【解決手段】複数枚の第１紙葉Ｐ１を集積状態で載置する第１トレイ片２０１と、第１紙葉と長手方向寸法が異なる第２紙葉Ｐ２を複数枚集積状態で載置すると共に第１トレイ片の直下に配置される第２トレイ片２１１と、各紙葉束の搬送方向先端位置を所定に揃える後端規制部材２０４、２１４と、を備え、第１トレイ片上の第１紙葉束が給送手段１６０によって給送され尽くした後で、第２トレイ片上の第２紙葉束の最上面が給送手段と接触可能な状態となることを特徴とする。【選択図】図６
2019177971.tif 000002
【特許請求の範囲】
【請求項１】
紙葉の上面に接して回転することにより紙葉を一枚ずつ給送する給送手段を備えた給紙装置に対して装着される給紙トレイであって、
前記給紙トレイは、少なくとも、複数枚の第１紙葉を集積状態で載置する第１トレイ片と、前記第１紙葉と長手方向寸法が異なる第２紙葉を複数枚集積状態で載置すると共に前記第１トレイ片の直下に配置される第２トレイ片と、前記第１紙葉束、及び前記第２紙葉束の搬送方向後端位置を夫々規制することにより各紙葉束の搬送方向先端位置を所定に揃える後端規制部材と、第１紙葉束、及び第２紙葉束の幅方向位置を規制する幅方向規制部材と、を備え、
前記第１トレイ片上の第１紙葉束が前記給送手段によって給送され尽くした後で、前記第２トレイ片上の第２紙葉束の最上面が前記給送手段と接触可能な状態となることを特徴とする給紙トレイ。
【請求項２】
前記各トレイ片は、夫々の搬送方向後端部を回動自在に連結されていることを特徴とする請求項１に記載の給紙トレイ。
【請求項３】
開閉自在に連結された２つのケーシングと、前記２つのケーシングが開放状態にある時に一方の前記ケーシングに着脱自在にセットされる請求項１又は２に記載の給紙トレイと、前記各トレイ片に前記各紙葉束をセットした状態にある前記給紙トレイを内部にセットした状態で前記２つのケーシングが閉じられた状態にある時に、前記給送手段を駆動することにより前記第１紙葉束の給送と第２紙葉束の給送を順次実施する給紙機構と、を備えたことを特徴とする給紙装置。
【請求項４】
前記一方のケーシングは、一端を回動自在に軸支されると共に弾性部材により突出方向へ付勢された受け板を備え、前記給紙トレイは前記受け板上に取り付けられることを特徴とする請求項３に記載の給紙装置。
【請求項５】
前記給紙装置は、還流式紙葉収納部を夫々着脱自在に装着する複数の装着区画を備えた還流式紙葉処理装置の前記装着区画に対して着脱自在に装着される紙葉補充庫であることを特徴とする請求項３又は４に記載の給紙装置。
【請求項６】
請求項３乃至５の何れか一項に記載の給紙装置を備えたことを特徴とする還流式紙葉処理装置。
【発明の詳細な説明】
【技術分野】
【０００１】
本発明は紙葉を種別に収容する還流式紙葉収納部を備えた紙葉処理装置において、始業時等に各還流ユニットに紙葉を補充するために使用される給紙装置の改良に関する。
【背景技術】
【０００２】
投入された紙幣を受け入れることによって種々の物品やサービスを提供する機能を備えた自動販売機、遊技場の遊技媒体貸出機、券売機、入出金装置、両替機等の紙幣取扱装置に装備される紙幣処理装置としては、複数金種の紙幣の取込み、収納、及び払出しが可能な還流式のタイプが知られている。
還流式の紙幣処理装置には、予め払出し用として準備した紙幣や稼働中に投入された紙幣を金種別に、或いは金種が混在した状態で保管するための紙幣収納部が装備されている。
【０００３】
特許文献１「紙幣取扱装置」に示されているように、紙幣収納部には、紙幣を収納する一方で紙幣を釣銭とするために外部へ排出する機能を備えた還流式紙幣収納部と、終業時等において紙幣処理装置内の全ての紙幣を回収する回収用紙幣収納部（回収庫）と、がある。
還流式紙幣収納部には始業時等において準備金としての紙幣を補充しておく必要があるため、還流式紙幣収納部に対しては給紙機能を備えた紙幣補充庫を用いた補充作業が実施される。
紙幣処理装置は還流式紙幣収納部を着脱するための装着空所を複数段備えており、一つの還流式紙幣収納部を取り外すことにより形成される装着空所内に紙幣補充庫を一時的に装着して給紙動作させることにより、他の還流式紙幣収納部に対する払出し用紙幣の補充が自動的に行われる。
【０００４】
ところで、紙幣補充庫による給紙性能を適確に維持するためには、紙幣セット部のサイズ、及び給紙ローラ群の位置等を一つの金種に適合させた仕様とする必要がある。一方、紙幣は金種毎にサイズが異なるため、紙幣補充庫は金種別に設計、準備する必要がある。言い換えれば、一つの紙幣補充庫にサイズの異なる紙幣を混在させてセットすることを可能とする設計は困難であり、従来の紙幣補充庫は１種類の金種しか収納できなかった。
このように従来の紙幣補充庫は一つの金種しか収納できないため、一つの紙幣処理装置に異なった金種を収納する複数の還流式紙幣収納部が装備されている場合であっても、一つの紙幣補充庫からの補充作業では一つの還流式紙幣収納部への補充しか実施できなかった。このため、一金種の補充作業を完了した後で別の金種を収納した他の還流式紙幣収納部への補充作業を実施するためには、当該他の金種を収納した別の紙幣補充庫を装着し直して補充作業を実施する必要があり、作業性が極めて悪かった。紙幣補充庫を金種の数だけ準備する必要があったため、コストアップ、管理手数の増大というデメリットもあった。
特許文献１の紙幣取扱装置のように一つの還流式紙幣収納部中に金種別に収納する２つの還流ユニットが装備されている場合にも同様に金種毎に補充庫を着脱交換して作業を行う必要があった。
【先行技術文献】
【特許文献】
【０００５】
【特許文献１】特開２０１６−２１８９６５公報
【発明の概要】
【発明が解決しようとする課題】
【０００６】
本発明は上記に鑑みてなされたものであり、複数の還流式紙葉収納部を備えた還流式紙葉処理装置において準備用の紙葉を各還流式紙葉収納部に補充するための給紙装置（紙葉補充庫）において、サイズの異なる異種の紙葉を併せて収容した一つの紙葉補充庫から複数の還流式紙葉収納部に対して各種の紙葉を連続して補充することを可能とした技術を提供するものである。
【課題を解決するための手段】
【０００７】
上記目的を達成するため、本発明の給紙トレイは、紙葉の上面に接して回転することにより紙葉を一枚ずつ給送する給送手段を備えた給紙装置に対して装着される給紙トレイであって、前記給紙トレイは、少なくとも、複数枚の第１紙葉を集積状態で載置する第１トレイ片と、前記第１紙葉と長手方向寸法が異なる第２紙葉を複数枚集積状態で載置すると共に前記第１トレイ片の直下に並行して配置される第２トレイ片と、前記第１紙葉束、及び前記第２紙葉束の搬送方向後端位置を夫々規制することにより各紙葉束の搬送方向先端位置を所定に揃える後端規制部材と、第１紙葉束、及び第２紙葉束の幅方向位置を規制する幅方向規制部材と、を備え、前記第１トレイ片上の第１紙葉束が前記給送手段によって給送され尽くした後で、前記第２トレイ片上の第２紙葉束の最上面が前記給送手段と接触可能な状態となることを特徴とする。
【発明の効果】
【０００８】
本発明によれば、サイズの異なる異種の紙葉を併せて収容した一つの紙葉補充庫から各還流式紙葉収納部に対して各種の紙葉を連続して補充することが可能になる。
【図面の簡単な説明】
【０００９】
【図１】（ａ）及び（ｂ）は本発明の一実施形態に係る紙葉収納部を備えた紙幣（紙葉）処理装置の正面図、及びＡ−Ａ断面図である。
【図２】（ａ）及び（ｂ）は紙幣処理装置の入金動作、及び確定動作の説明図である。
【図３】（ａ）及び（ｂ）は同出金動作、及び回収動作の説明図である。
【図４】紙幣補充庫による補充動作の説明図である。
【図５】本発明の一実施形態に係る紙幣補充庫の外観斜視図である。
【図６】（ａ）は給紙トレイをセットしていない状態にある紙幣補充庫の縦断面図であり、（ｂ）及び（ｃ）は給紙トレイをセットした状態にある紙幣補充庫の縦断面図である。
【図７】給紙トレイ、及び一金種用のガイド部材をセットしていない紙幣補充庫を開放した状態を示す斜視図である。
【図８】（ａ）は一金種用のガイド部材をセットした紙幣補充庫を開放した状態を示す斜視図であり、（ｂ）は（ａ）における下部ユニット単体の平面方向斜視図である。
【図９】給紙トレイをセットした紙幣補充庫を開放した状態を示す斜視図である。
【図１０】（ａ）及び（ｂ）は給紙トレイをセットした紙幣補充庫を開放した状態の他の斜視図、及びストップローラを交換する手順を示した一部分解斜視図である。
【図１１】（ａ）及び（ｂ）は給紙トレイをセットした紙幣補充庫を開放した状態の他の斜視図、及び、ピックアップローラ及びフィードローラを交換する手順を示した一部分解斜視図である。
【図１２】（ａ）（ｂ）（ｃ）及び（ｄ）は給紙トレイの閉止状態を示す背面側斜視図、給紙トレイのトレイカバーを開放した状態を示す背面側斜視図、給紙トレイの閉止状態を示す正面側斜視図、及び第３トレイ片に対して他のトレイ片を開放した状態を示す斜視図である。
【図１３】一例に係る給紙トレイの分解斜視図である。
【図１４】（ａ）及び（ｂ）は受け板に対して閉止状態にある給紙トレイを組み付けた状態を示す一部断面の背面側斜視図、及び一部断面の正面側斜視図である。
【図１５】（ａ）及び（ｂ）は受け板に対して給紙トレイを組み付ける手順を示す説明図である。
【図１６】第３トレイ片単体の構成を示す斜視図である。
【図１７】シャッター機構の構成及び動作説明図であり、（ａ）は動作原理の概略説明図、（ｂ）はシャッター動作状態を示す外観斜視図であり、（ｃ）はシャッター退避状態を示す外観斜視図である。
【発明を実施するための形態】
【００１０】
以下、本発明を図面に示した実施の形態により詳細に説明する。
［紙幣処理装置の構成］
図１（ａ）及び（ｂ）は本発明の一実施形態に係る紙葉収納部を備えた紙幣（紙葉）処理装置の正面図、及びＡ−Ａ断面図である。
なお、本実施形態では紙葉の一例としての紙幣を処理する装置について説明するが、図示した紙葉収納部、及び紙葉処理装置は紙幣以外にも金券、チケット、有価証券等々、その他の紙葉の処理装置にも適用することができる。
【００１１】
図１に示した還流式紙幣処理装置（以下、紙幣処理装置、という）１は、例えば自動販売機、券売機、遊技場の遊技媒体貸出機、入出金装置、両替機等の紙幣取扱装置に装備、或いは併設されて紙幣の受け入れ、釣銭等としての紙幣の払出し処理を行う手段である。
紙幣処理装置１は、外装体を構成する筐体３と、筐体内に入金された紙幣を所要のルートで機内搬送したり、機外に排出する入出金処理ユニットＭと、入出金処理ユニットＭから搬送されてきた紙幣を収納したり入出金処理ユニットＭとの間で紙幣の授受を行う紙幣収納ユニットＮと、種々のルートを経て紙幣を搬送する搬送機構と、各種制御対象を制御する制御手段（ＣＰＵ、ＭＰＵ、ＲＯＭ、ＲＡＭ等）５００（図２乃至図４）と、から概略構成されている。
【００１２】
入出金処理ユニットＭは、異金種の紙幣を含めて最大３０枚の紙幣束を一括して受け入れたり、入金紙幣を返却する際の返却口となる入出金口５と、最大３０枚の紙幣の出金払出し口、及び入金リジェクト返却口となる返却口７と、入出金口５に入金、セットされた紙幣束を一枚ずつの紙幣に分離して入金紙幣搬送経路９ａに沿って装置本体内に導入する一括入金部１１と、一括入金部１１の下流側に配置されて搬送されてきた紙幣の幅方向位置を搬送路の中央部に揃えるセンタリング部１３と、センタリング部の下流側に配置されて光学、磁気センサの併用によって入金紙幣の金種、真贋等を判定する識別部１５と、識別部を通過した入金紙幣を最大３０枚一時保留し、受入れが確定した時は後述する各収納部、回収庫へ繰出し、返金要求等による取消返却時は払出し集積部（払出し集積装置）２２へ繰出すエスクロ部（一時保留部）２０と、エスクロ部から搬送されてきた返却用の紙幣やリジェクト紙幣（以下、返却紙幣と称する）を集積してから返却口７に払出す払出し集積部（返却紙幣の集積装置）２２と、払出し集積部２２から返却口７に払い出された返却紙幣が所定時間を経ても顧客により回収されない場合に払出し集積部により逆送されて取り忘れ紙幣として収納する取り忘れ紙幣収納部（紙幣保留部）２４と、を備える。
【００１３】
紙幣収納ユニットＮは、入金紙幣の受入れが確定した際にエスクロ部２０から一枚ずつ繰り出されて各搬送経路９ａ、９ｂ上を搬送されてきた紙幣を金種毎に出入れ自在に収容する第１及び第２還流式紙幣収納部（還流式紙幣収納装置）３０、４０と、第２還流式紙幣収納部４０の下方に設けられた収容空間内に正面側から着脱自在に装着され、終業時等に各還流式紙幣収納部から全金種を回収したり、釣銭として利用されない高額紙幣や各還流式紙幣収納部に収容し切れない余剰紙幣を回収する回収庫（回収紙幣収納部）５０と、を備える。
搬送機構は、各搬送経路９ａ、９ｂ、その他の搬送経路に沿って紙幣を搬送する駆動力を生成、伝達するためのモータ、ソレノイド、及びプーリ、ベルト、ゲート等を備える。
制御手段５００は、入出金処理ユニットＭ、紙幣収納ユニットＮ、及び搬送機構等の制御対象を制御する。
なお、入出金口５や返却口７による紙幣の最大取扱枚数は一例に過ぎない。
【００１４】
本例の第１及び第２還流式紙幣収納部３０、４０は、夫々最大収納枚数６０枚の還流ドラムを二個ずつ（３１、３５、４１、４５）備えている。各還流ドラム３１、３５、４１、４５は、それらの外周面に二本ずつ渦巻き状（螺旋状）に重ねて巻き付けられる長尺テープ（長尺フィルム）間に紙幣を収納する還流に適したタイプである。
【００１５】
［紙幣処理装置の各種動作］
次に、図１に示した紙幣収納装置を適用する紙幣処理装置１における入金動作、確定動作、出金動作、回収動作、及び補充動作の概要について図２、図３、図４により説明する。
即ち、図２（ａ）及び（ｂ）は紙幣処理装置の入金動作、及び確定動作の説明図であり、図３（ａ）及び（ｂ）は同出金動作、及び回収動作の説明図であり、図４は補充動作の説明図である。
【００１６】
まず、図２（ａ）の入金動作では、入出金口５から一枚、又は複数枚の紙幣が投入されると紙幣を検知したセンサからの信号を受けた制御手段５００が搬送機構を作動させて一括入金部１１、及び入金紙幣搬送経路９ａを用いて紙幣を取込む。一括入金部１１は入出金口５にセットされた紙幣束中の最上部の紙幣から一枚ずつ取り出してセンタリング部１３に搬送する。センタリング部でセンタリングを受けた紙幣は識別部１５に移動されて識別を受ける。識別部１５により受入れ可能と判定された紙幣はエスクロ部２０に搬送されてエスクロドラム２１外周に一枚ずつ巻き付けられて一時保留され、入金の確定を待つ。識別部において受入れ不能と判定されたリジェクト紙幣が入出金口５から一枚ずつ投入された紙幣である場合にはそのまま返却口７から機外へ排出する。一方、複数枚一括で投入された紙幣がリジェクトされた場合には払出し集積部２２に一旦集積（１〜複数枚）してから返却口７より纏めて機外へ排出、返却する。また、顧客が図示しないキャンセルボタンを操作することにより紙幣の返却を求めた場合には、エスクロ部２０において一時保留されていた紙幣が一枚ずつ払出し集積部２２に送り出されて回転する払出しドラム２３の外周に一枚ずつ重ねて巻き付けられて積層状態で集積される。顧客が投入した全ての紙幣が払出しドラム外周に集積を完了した段階で払出しドラム２３が払出し方向へ回転することにより紙幣束を返却口７から外部に突出させて返却し、顧客による受取りを促す。
【００１７】
返却口７から返却のために機外に突出された紙幣束が所定時間経過しても顧客によって回収されない場合には、払出しドラムを戻し方向へ逆転させて機内に逆送させることにより取り忘れ紙幣として取り忘れ紙幣収納部２４に収納する。
図２（ｂ）の確定動作ではエスクロ部２０に一時保留されていた入金紙幣の入金が確定した段階でエスクロ部から一枚ずつ紙幣を送り出し、釣銭として利用する紙幣は収納紙幣搬送経路９ｂを経由して金種別に何れかの還流式紙幣収納部３０、４０に収納し、釣銭として利用しない紙幣は回収庫５０に収納する。
図３（ａ）の出金動作では、釣銭として紙幣を払い出す際に還流式紙幣収納部３０、４０に収納された紙幣を取り出して識別部１５で識別を行い、返却可能な紙幣であれば払出し集積部２２に一旦集積（１〜複数枚）してから一括して釣銭として返却口７から払出す。
一方、識別部１５での識別により返却不可の紙幣であると判定された場合は、エスクロ部２０で一時貯留した後で回収庫５０に移送して収納する。
図３（ｂ）の回収動作では、終業時等に還流式紙幣収納部（還流式紙幣収納装置）３０、４０に収納されていた紙幣をエスクロ部２０で一旦集積してから回収庫５０に収納する。
【００１８】
次に、図４に基づいて紙幣を補充する動作手順について説明する。
紙幣収納ユニットＮは還流式紙幣収納部３０、４０を着脱するための装着空所（装着区画）５６、５７を複数段備えており、各還流式紙幣収納部３０、４０には始業時等に準備金としての紙幣を予め収納しておく必要がある。
各還流式紙幣収納部に対して準備金を補充する際には、一つの還流式紙幣収納部３０を取り外すことにより空となった装着区画５６内に準備金を充填した紙幣補充用の収納庫（紙幣補充庫）１００を装着することにより、所定の手順により準備金を金種別に他の装着区画５７に装着されている他の還流式紙幣収納部４０へ送り込む補充作業が行われる。
即ち、紙幣補充庫１００から繰り出された紙幣は一旦識別部１５へ送られ、真贋、金種等の識別を受けてから釣銭として使用可能な紙幣だけをエスクロ部２０に順次移送してエスクロドラム２１外周に集積完了してから金種毎に対応する還流式紙幣収納部へ順次送出を行う。釣銭として使用不可と判定された紙幣は回収庫５０へ送られる。
【００１９】
紙幣補充庫からエスクロ部へ送られた紙幣は全て識別を受けているため、エスクロドラム外周に集積された何枚目の紙幣がどの金種であるかについては制御手段５００が把握しており、還流式紙幣収納部４０の各還流ドラム４１、４５に対して対応する金種を送り込むことができる。
還流式紙幣収納部４０への補充作業が終了した後で還流式紙幣収納部３０の還流ドラムへの補充作業を行う場合には、例えば還流式紙幣収納部４０を取り外すことにより空となった装着区画５７内に還流式紙幣収納部３０を装着してから紙幣補充庫からの補充を行う。還流式紙幣収納部３０内の還流ドラム３１に対して対応する金種を送り込んで補充する。還流式紙幣収納部３０への補充が完了した後で紙幣補充庫を装着空所５６から取外して同装着空所５６内に還流式紙幣収納部３０を装着すると共に、装着空所５７には補充済みの還流式紙幣収納部４０を装着する。
【００２０】
［給紙装置（紙葉補充庫）、給紙トレイ、その他］
＜給紙装置（紙幣補充庫）＞
本発明に係る紙幣補充庫（給紙装置）１００は、補充庫本体１０１内に着脱自在な給紙トレイ２００を備えており、この給紙トレイはサイズ、形状の異なる複数金種、本例では、３金種の紙幣Ｐ１、Ｐ２、Ｐ３を金種別に束にして三段に重ねた状態で収容している。従来の紙幣補充庫は１種類の金種の紙幣束を直接補充庫本体１０１内にセットして給紙する構成であったが、本発明では補充庫本体１０１にセットした給紙トレイ２００に収容した複数束の異金種紙幣を一枚ずつ順次給紙して最終的には対応する金種を収納する還流式紙幣収納部３０、４０、或いは回収庫５０に夫々収納するようにしている。給紙トレイは既存の一金種用の補充庫本体に対して着脱することができる構成であるため、補充庫本体を改変する必要がない。
即ち、紙幣補充庫１００は、補充庫本体１０１と、補充庫本体に対して着脱自在に装着されて２金種以上の異サイズ紙幣（束）Ｐ１、Ｐ２、Ｐ３を上下位置関係で重ねて収容することができる給紙トレイ２００と、を備えている。
【００２１】
補充庫本体１０１に給紙トレイ２００を装着して給紙を行うことにより、一つの紙幣補充庫からの連続した補充動作により複数の還流式紙幣収納部、或いは複数の還流ユニットに対して夫々対応した金種の紙幣を連続的に供給することが可能となる。また、給紙トレイに対して新たな紙幣束をセットする作業は、紙幣補充庫１００を開放して給紙カセットを取り出してから各トレイ片２０１、２１１、２２１上に対して金種別にセットすればよいので極めて容易であり、作業性を損なうことがない。
【００２２】
また、給紙トレイ２００は一つの金種の紙幣を搭載するトレイ片を複数個備えており、各トレイ片には長さ、及び幅が種々異なる紙幣の長手方向位置、及び幅方向位置を規制するガイド部材が設けられているので、一つの給紙トレイ、一つの紙幣補充庫に多様な金種を収納し、且つこれらを連続して給紙することが可能となる。
従って、金種別に複数の紙幣補充庫を用意して交換しながら補充作業を行うという煩雑、不効率な作業から解放される。
【００２３】
以下、図面に基づいて紙幣補充庫について説明する。
図５は紙幣補充庫１００の外観斜視図であり、紙幣補充庫１００は、紙幣処理装置１の還流式紙幣収納部３０、４０を収容する装着区画５６、５７に装着可能な外観構成と、装着区画に装着された状態において紙幣処理装置の搬送経路９ｂへのスムーズな紙幣送出を可能とする構成（送出経路１２３、出口１２２）を有している。
【００２４】
図６（ａ）は給紙トレイをセットしていない状態にある紙幣補充庫の縦断面図であり、（ｂ）及び（ｃ）は給紙トレイをセットした状態にある紙幣補充庫の縦断面図であり、図７は給紙トレイ、及び一金種用のガイド部材をセットしていない紙幣補充庫を開放した状態を示す斜視図であり、図８（ａ）は一金種用のガイド部材をセットした紙幣補充庫を開放した状態を示す斜視図であり、（ｂ）は（ａ）における下部ユニット単体の平面方向斜視図であり、図９は給紙トレイをセットした紙幣補充庫を開放した状態を示す斜視図であり、図１０（ａ）及び（ｂ）は給紙トレイをセットした紙幣補充庫を開放した状態の他の斜視図、及びストップローラを交換する手順を示した一部分解斜視図であり、図１１（ａ）及び（ｂ）は給紙トレイをセットした紙幣補充庫を開放した状態の他の斜視図、及びピックアップローラ、及びフィードローラを交換する手順を示した一部分解斜視図である。
【００２５】
紙幣補充庫１００は、図８に示すように、給紙トレイ２００を補充庫本体１０１内にセットしない状態で、特定の一金種紙幣のサイズ、形状に合わせて幅方向のガイド部材（サイドガイド）１９０、及び長手方向のガイド部材（エンドガイド）１９２を補充庫本体内底部にセットした状態で受け板１７０上に紙幣束をセットすることにより、給紙機構１５０により当該一金種用の給紙機能を発揮することができる。一方、各ガイド部材を取り外して給紙トレイ２００を受け板１７０上にセットすることにより、給紙機構１５０によって給紙トレイ上の各金種の紙幣を順次給紙することが可能となる。
紙幣補充庫（給紙装置）１００は、補充庫本体１０１と、給紙トレイ２００とから概略構成されている。
補充庫本体（給紙装置本体）１０１は、背面側に設けた軸支部１２１により互いに開閉自在に軸支された下部ユニット１２０、及び上部ユニット１３０と、各ユニット１２０、１３０に跨がって配置された給紙機構１５０（下部給紙機構１５０Ａ、上部給紙機構１５０Ｂ）と、を概略備えている。
【００２６】
下部ユニット１２０は、下部ケーシング１１２、及び下部ケーシング側に配置された下部給紙機構１５０Ａを備え、上部ユニット１３０は、上部ケーシング１１４、及び上部ケーシング側に配置された上部給紙機構１５０Ｂを備える。
下部ケーシング１１２と上部ケーシング１１４は、ケーシング１１０を構成している。
下部ユニット１２０は背面側に給紙機構１５０の一部である下部給紙機構１５０Ａを備え、下部給紙機構の正面側には受け板１７０、及び給紙トレイ２００を配置する給紙トレイセット部１２５を備える。
上部ユニット１３０は背面側に給紙機構１５０の一部である上部給紙機構１５０Ｂを備え、上部給紙機構の正面側には給紙トレイの上部を受け入れる給紙トレイ収容部１３５を有する。上部給紙機構１５０Ｂは軸支部１２１により上下方向へ回動自在に軸支されることより上部ユニット１３０（上部ケーシング１１４）に対して独立して回動することができ、図１０に示したように上部ケーシング１１４側に係止された姿勢と、図１１に示したように上部ケーシングから離間して下部駆動機構１５０Ａ上に下降した姿勢との間を移動することができる。
【００２７】
下部給紙機構１５０Ａと上部給紙機構１５０Ｂは、給紙トレイから送り出されてきた紙幣をケーシングに設けた出口１２２へ移動させる送出経路１２３を間に挟んで対向配置されている。
下部給紙機構１５０Ａは、各ローラの駆動源となるモータ１５２と、送出経路１２３の下側に配置されて排出される紙幣の下面と接するストップローラ１５４と、ストップローラの下流側に配置されて排出される紙幣の下面と接するプルローラ１５５と、出口１２２を開閉するシャッター片１５７を備えたシャッター機構３００と、を備える。
上部給紙機構１５０Ｂは、給紙トレイ２００にセットされた最上部の紙幣の搬送方向先端上面に接して図６中の時計回り方向へ回転することにより紙幣を送出経路１２３へ繰出すピックアップローラ（給送手段）１６０と、ピックアップローラの下流側に配置されて時計回り方向へ回転することによりストップローラ１５４との間で重送状態にある紙幣を分離し、上側の紙幣だけを下流側に搬送するフィードローラ１６２と、フィードローラの下流側に配置されてプルローラ１５５との間のニップ部で紙幣を引出し搬送する従動ローラとしてのテンションローラ１６４と、を備える。
【００２８】
ピックアップローラ１６０、及びフィードローラ１６２は、モータ１５２からの駆動力を図示しない駆動伝達機構を介して伝達されることにより駆動され、プルローラ１５５は図示しない他のモータにより駆動される。
摩擦分離部材としてのストップローラ（ブレーキローラ）１５４は、紙幣搬送方向へは回転しない一方で、紙幣との接触による局部の摩耗を避けるために紙幣が通過するたびに紙幣搬送方向とは逆方向（紙幣戻し方向）へ所定のピッチで回動するように構成されている。
図１０（ｂ）に示すように、下部ユニット１２０に対して上部ユニット１３０を開放した状態でビスＢを取り外すことにより、ストップローラ１５４とその支持部材を含むユニットを、下部給紙機構１５０Ａから取り外して交換、修理することができる。
また、図１１（ｂ）に示すように下部ユニット１２０に対して上部ユニット１３０を開放すると共に、上部給紙機構１５０Ｂを下部給紙機構１５０Ａ上に下降させた状態で、ビスＢを取り外すことにより、ピックアップローラ１６０とフィードローラ１６２とその支持部材を含むユニットを、上部給紙機構１５０Ｂから取り外して交換、修理することができる。
【００２９】
図６、図７、図８等に示すように、下部ユニット１２０の給紙トレイセット部１２５の底面には上面に給紙トレイ２００、或いは紙幣を直接載置する受け板１７０が配置され、受け板１７０はその前端にある軸穴１７２に挿通される回転軸１８０を中心として上下方向へ回動自在に軸支され、且つ弾性部材１８１によって上向きに付勢されている。このため、受け板１７０は図６（ａ）に示した上昇位置と図６（ｂ）（ｃ）に示した下降位置との間で姿勢を変化させることができ、給紙トレイ２００を搭載した（ｂ）（ｃ）の状態では弾性部材１８１を圧縮させた下降状態となる。
【００３０】
図７に示すように、受け板１７０は、給紙トレイの第３トレイ片２２１をその上面で支持する底板１７１と、底板の前端部に設けられた軸穴１７２と、底板の前方寄りの幅方向両側に夫々突設された略三角形状の前部ガイド保持部１７３と、給紙トレイの最下部に位置する第３トレイ片２２１をビス止めするためのビス穴（雌螺子穴）１７５と、底板の後方に貫通形成された小孔である一対の受口１７６と、底板の前端に設けられた２つのラッチ受け（弾性片）１７７と、ピックアップローラ１６０による繰出し時に紙幣束の下面と接して滑りを規制するパッド１７８と、を概略備えている。
図７、図８に示したように一金種の紙幣のみを給紙する際には受け板１７０上に給紙トレイ２００をセットしない状態で受け板上に紙幣束（例えば、最大４００枚）が直接セットされる。
【００３１】
同図において、符号１８４は受け板ストッパであり、受け板１７０を弾性部材１８１に抗して下降させた状態で受け板ストッパ１８４を下方に押し込むことにより下部ケーシング１１２の側壁に対して受け板を下降状態で係止したり、受け板ストッパを上方へ抜き取ることにより係止を解除することができる。受け板ストッパ１８４は、下部ケーシングの側壁と受け板側部との間の空所内に上方から装着される部材であり、下部ケーシングの側壁との間で図示しないラチェット式の係止機構を構成する。受け板ストッパを引き上げて下部ケーシングから離脱させることにより受け板を自由状態として弾性部材１８１により回転軸１８０を中心として上下方向へ回動させることができる。
一金種の紙幣のみを給紙する際には、受け板の底板１７１の上面に直接一金種の紙幣束をセットした状態で、給紙機構１５０により最上部の紙幣から取出し、分離することにより送出経路１２３を経て出口１２２から紙幣補充庫外部へ送出される。
【００３２】
図８に示すように、受け板の幅方向両側に相当する給紙トレイセット部１２５の底面には、受け板１７０上にセットされる紙幣束の幅方向両側面を位置決めする板状のサイドガイド１９０を夫々立設状態でセットする差込み式のガイド保持部１２６が設けられている。
図８（ｂ）に示すように、サイドガイド１９０を位置決め保持する左右のガイド保持部１２６は、受け板の底板１７１の幅方向両端部に夫々設けた切欠き１７１ａに対応する給紙トレイセット部１２５の底面部位に形成されている。各ガイド保持部１２６は、所定の前後位置関係で対向配置された２つの壁部１２６ａに夫々形成された多数の溝（位置決め凹所）１２６ｂを備えている。溝（位置決め凹所）１２６は、板状のサイドガイド１９０の下端縁を差し込んで直立状態で位置決めするために２つの壁部１２６ａに所定の幅方向ピッチで複数個形成されている。対向する両壁部に形成された個々の溝１２６ｂ同士は一対一で整合する対向位置関係にあるため、サイドガイド１９０の下端縁を給紙方向と並行な姿勢で対をなす任意の溝内に差し込むことによりその並行姿勢を維持しつつセットすることができる。また、隣接する溝１２６ｂ間のピッチをｍｍ単位で細かく設定することにより、受け板上にセットされる紙幣の幅寸法の変化に応じてガイド保持部１２６内におけるサイドガイドの幅方向セット位置を微調整することが可能となる。
【００３３】
受け板の底板１７１の前方寄りの幅方向両側に夫々突設された略三角形状の前部ガイド保持部１７３は、図８の状態において一金種の紙幣束の搬送方向後端部の位置を規制するエンドガイド１９２の下端縁を差し込んで直立状態に保持する手段である。各前部ガイド保持部１７３の対向面には、エンドガイドの下端縁を差し込んで直立状態で位置決め保持するために所定の前後方向ピッチで上下方向へ延びる多数の溝（位置決め凹所）１７３ａを備えている。各前部ガイド保持部１７３の対向面に形成された個々の溝１７３ａ同士は一対一で整合する対向位置関係にあるため、エンドガイド１９２の下端縁を給紙方向と直交する姿勢で対をなす任意の溝内に差し込むことによりその直交姿勢を維持しつつセットすることができる。また、隣接する溝１７３ａ間のピッチをｍｍ単位で細かく設定することにより、受け板上にセットされる紙幣の長手方向寸法の変化に応じて前部ガイド保持部１７３間におけるエンドガイドの前後方向セット位置を微調整することが可能となる
サイドガイド１９０、及びエンドガイド１９２は、各溝１２６ｂ、１７３ａを利用することにより、図８（ａ）、及び（ｂ）中に実線で示した最小紙幣サイズに対応した位置と、図８（ｂ）中に破線で示した最大紙幣サイズに対応した位置との間の任意の位置にセットすることができる。
一金種のみをセットして給送する図８の紙幣補充庫の構成であると、例えば３金種の紙幣を各還流式紙幣収納部に補充する場合には、各金種の紙幣を収容した補充庫を三台用意する必要があるばかりでなく、一つの紙幣補充庫による一つの金種の紙幣の補充が完了した後で、紙幣取扱装置の装着区画に対して紙幣補充庫の入れ替えを行った上で、次の金種の紙幣の補充作業を実施する必要があり、作業時間が長くなる。
【００３４】
＜給紙トレイ＞
次に、図１２（ａ）（ｂ）（ｃ）及び（ｄ）は給紙トレイの閉止状態を示す背面側斜視図、給紙トレイのトレイカバーを開放した状態を示す背面側斜視図、給紙トレイの閉止状態を示す正面側斜視図、及び第３トレイ片に対して他のトレイを開放した状態を示す斜視図であり、図１３は給紙トレイの分解斜視図であり、図１４（ａ）及び（ｂ）は受け板に対して閉止状態にある給紙トレイを組み付けた状態を示す一部断面の背面側斜視図、及び一部断面の正面側斜視図であり、図１５（ａ）及び（ｂ）は受け板に対して給紙トレイを組み付ける手順を示す説明図であり、図１６は第３トレイ片単体の構成を示す斜視図である。
【００３５】
給紙トレイ２００は、サイズ、形状が異なる複数の紙幣束を夫々異なった区画内に収納して集積する手段であり、紙幣の上面に接して回転することにより紙幣を一枚ずつ給送するピックアップローラ（給送手段）１６０を備えた紙幣補充庫等の給紙装置に対して装着される。
【００３６】
給紙トレイ２００は、少なくとも、複数枚の第１紙幣（第１紙幣束）Ｐ１を集積状態で載置する第１トレイ片２０１と、第１紙幣よりも長手方向寸法（搬送方向寸法）が大きい第２紙幣（第２紙幣束）Ｐ２を複数枚集積状態で載置すると共に第１トレイ片２０１の直下に並行して配置される第２トレイ片２１１と、第２紙幣よりも長手方向寸法が大きい第３紙幣（第３紙幣束）Ｐ３を複数枚集積状態で載置すると共に第２トレイ片２１１の直下に並行して配置される第３トレイ片２２１と、第１トレイ片２０１、第２トレイ片２１１、及び第３トレイ片２２１に夫々配置されて第１紙幣束Ｐ１、第２紙幣束Ｐ２、及び第３紙幣束Ｐ３の各搬送方向後端位置を規制することにより各紙幣束の搬送方向先端位置を一定に（所定に）揃える後端規制部材２０４、２１４、２２４と、第１紙幣束、第２紙幣束、及び第３紙幣束の幅方向位置を規制する幅方向規制部材（側板）２１６、２２６と、トレイカバー２３１と、第１トレイ片、第２トレイ片、第３トレイ片、及びトレイカバーの各正面側端部を軸支することにより紙幣集積方向（上下方向）へ各トレイ片を開閉自在にした軸支部２５１と、を備え、第１トレイ片上の第１紙幣が給紙機構１５０によって給送され尽くした後で、受け板１７０の上昇により第２トレイ片上の第２紙幣の最上面が給送手段と接触状態となり、第２トレイ片上の第２紙幣が給紙機構によって給送され尽くした後で、受け板１７０の上昇により第３トレイ片上の第３紙幣の最上面が給送手段と接触状態となる。
【００３７】
軸支部２５１は、第１トレイ片２０１、第２トレイ片２１１、第３トレイ片２２１、及びトレイカバー２３１の各前端部に設けた各軸穴２０６、２１８、２２７、２３２に回動軸２４１を挿通して軸支することにより各トレイ片を開閉自在にしている。
各トレイ片には、例えば４０枚の紙幣をセットすることができる。
第１トレイ片２０１は、最小サイズの第１紙幣Ｐ１に見合った寸法、形状を有した底板２０２と、底板の搬送方向後部上面に起立状態で配置した紙幣の後端規制部材２０４と、底板の前端部（正面側端部）に設けた軸穴２０６と、を備えている。
第２トレイ片２１１は、第２紙幣Ｐ２に見合った寸法、形状を有した底板２１２と、底板の搬送方向後部上面に起立状態で配置した紙幣の後端規制部材２１４と、底板の幅方向両側縁から起立した幅方向規制部材としての側板２１６と、底板の前端部に設けた軸穴２１８と、を備えている。本例では、側板２１６は、第２トレイ片上の第２紙幣Ｐ２のみならず、第１トレイ片上の第１紙幣Ｐ１の幅方向位置も共通して規制する。
【００３８】
第３トレイ片２２１は、第３紙幣Ｐ３に見合った寸法、形状を有した底板２２２と、底板の搬送方向後部上面に起立状態で配置した紙幣の後端規制部材２２４と、底板の幅方向両側縁から起立した幅方向規制部材としての側板２２６と、底板の前端部に設けた軸穴２２７と、底板の後端縁に下向きに突設した受け板との係合用のＬ字型の係合片２２８と、底板の前端縁に設けた一対のラッチ２２９と、を備えている。係合片２２８は、受け板の底板に設けた受け口１７６に差し込まれ、ラッチ２２９は受け板の底板に設けたラッチ受け１７７に設けた被係合部と係合する。
トレイカバー２３１はその前端部に軸穴２３２を備えている。
【００３９】
図１３に示すように、第１トレイ片２０１に設けた後端規制部材２０４は、トレイカバー２３１に設けた開口２３３からその上部が上方に突出するように構成されている。
また、第２トレイ片２１１に設けた後端規制部材２１４は、第１トレイ片２０１の前部の対応する位置に設けた凹所２０２ａからその上部が上方に突出するように構成されている。
更に、第３トレイ片２２１に設けた後端規制部材２２４は、第２トレイ片２１１の前部の対応する位置に設けた凹所２１２ａからその上部が上方に突出するように構成されている。
【００４０】
本例では、中華人民共和国紙幣である１元紙幣、５元紙幣、１０元紙幣を使用する紙幣処理装置を一例として説明する。１元紙幣と５元紙幣の幅寸法は同一（６３ｍｍ）である一方で、１０元紙幣の幅寸法は７０ｍｍである。また各紙幣の長手方向寸法は、１元紙幣＜５元紙幣＜１０元紙幣の順となる。
給紙トレイ２００は、受け板１７０に対して第３トレイ片２２１を固定することにより、下部ケーシング１１２に組み込まれる。
【００４１】
給紙トレイ２００を受け板１７０に取り付ける手順としては、まず図１５（ａ）に示すように受け板１７０の後部に設けた受口１７６内に第３トレイ片２２１の底板２２２の後端縁に設けたＬ字型の係合片２２８を差し込んでから、係合片を支点として給紙トレイ全体を下方へ回動させて同図（ｂ）に示したように底板２２２の底面を受け板の底板１７１の上面に押し付けて添設させる。その際にラッチ２２９が受け板の底板に設けたバネ体から成るラッチ受け１７７の被係合部とスナップフィット係合する。次いで、トレイカバー、第１トレイ片、第２トレイ片を開放した状態で、ビスＢを受け板の底板１７１に設けたビス穴（雌螺子穴）１７５に螺着して底板１７１に対して第３トレイを固定することにより給紙トレイの固定を完了する。第３トレイ片２２１には、ビス穴１７５と対応する位置にドライバー等の工具を差し込む穴Ｈが形成されている。
なお、係合片２２８により給紙トレイの後端を受け板の受口１７６に係止した後で、ラッチ２２９をラッチ受け１７７に係止しただけの状態でも給紙トレイの取付は充分であり、ビスＢを用いた固定は省略することもできる。この場合にはラッチ受け１７７を人手により押し広げるように操作してラッチ２２９から離脱させることにより、ワンタッチ操作で給紙トレイを受け板から離脱させることができる。
【００４２】
受け板上にセットされた給紙トレイ２００においては、図６（ｂ）に示すように各トレイ片上の各紙幣束Ｐ１、Ｐ２、Ｐ３の搬送方向後端縁が各後端規制部材２０４、２１４、２２４により規制されていることにより各紙幣束の搬送方向先端縁の位置が一定位置に保持されている。この時の各紙幣束の先端縁の位置は、各トレイ片の搬送方向前端縁からオーバーハングしており、直上に位置するピックアップローラ１６０による給紙に適した位置となっている。また、各紙幣束の前端縁は各トレイ片の搬送方向前端縁からオーバーハングした状態で重なっており、最下部の紙幣束の底面は摩擦パッド１７８と接して位置ずれを防止されることにより、ピックアップローラによる給紙安定性を高めている。
ピックアップローラ１６０による給紙動作によってトレイ片上の紙幣が漸減して行くにつれて、弾性部材１８１の押上げ力によって給紙トレイ全体が紙幣の減少分だけほぼ垂直に上昇することにより、最上部の紙幣は常にピックアップローラに対して適正な給紙圧を維持しつつ接触することができる。
なお、受け板１７０から給紙トレイを取り外す際には上記と逆の手順を経る。即ち、トレイカバー、第１トレイ片、第２トレイ片を開放した状態で、ビスＢを受け板の底板１７１に設けたビス穴（雌螺子穴）１７５から取外し、ラッチ受け（スナップフィット操作部）１７７を開放する方向へ押圧しながら給紙トレイを持ち上げて受け板から離間させつつ、係合片２２８を受け口１７６から離脱させる。
【００４３】
図６（ｂ）では給紙トレイの各トレイ片上に夫々の紙幣束がセットされているためにピックアップローラ１６０が第１トレイ片上の第１紙幣Ｐ１の上面と接触して第１紙幣を給紙可能な状態となっている。一方、同図（ｃ）では第１トレイ片上の第１紙幣Ｐ１の給紙が完了したことによって、弾性部材１８１の押上げ力により受け板１７０、及び給紙トレイ２００が上昇してピックアップローラ１６０が第２トレイ片上の第２紙幣Ｐ２の上面と接触し、第２紙幣を給紙可能な状態となっている。図示しないが、第２紙幣が給紙完了した段階で受け板１７０、及び給紙トレイ２００が上昇してピックアップローラ１６０が第３トレイ片上の第３紙幣Ｐ３の上面と接触し、第３紙幣を給紙可能な状態に移行する。
【００４４】
本発明の給紙トレイでは、３金種のみならず、２金種の紙幣も扱うことができる。即ち、第１トレイ片に一つの金種紙幣をセットし、第２トレイ片に他の金種紙幣をセットすることにより、２金種対応とすることができる。
なお、上記実施形態に係る給紙トレイは、３つの金種を夫々収容する専用のトレイ片を３個備えているが、２つの金種を扱う場合には２個のトレイ片を備えた構成としても良いし、４金種を扱う場合には４個のトレイ片を備えた構成としてもよい。
また、各トレイ片を一端に設けた軸支部２５１により開閉自在としているが、各トレイは整合性良く積層状態で組み付けできれば必ずしも開閉自在に軸支する必要はない。
また、上側に位置するトレイ片にセットされる紙幣を下側のトレイ片にセットされる紙幣よりも小サイズとしているが、上側のトレイ片にセットされる紙幣を下側トレイにセットされる紙幣よりも大サイズとしてもよい。
【００４５】
＜シャッター機構＞
図１７はシャッター機構３００の構成、及び動作説明図であり、（ａ）は動作原理の概略説明図、（ｂ）はシャッター動作状態、（ｃ）はシャッター退避状態を示す外観斜視図である。
【００４６】
シャッター機構３００は、フレーム３０１により支持されたソレノイド３０３と、フレームに設けた軸部３１０により回動自在に軸支されてソレノイドによって駆動されるシャッター片１５７と、を概略備えている。
シャッター片１５７は紙幣補充庫の非稼動中（ソレノイドの非励磁時）に図１７（ｂ）の突出状態に保持されることにより出口１２２を閉止して出口から不正具を差し込んでの紙幣の取出しなどの不正行為を防止することができる。また、紙幣補充庫の稼動時（ソレノイドの励磁時）にはシャッター片を（ｃ）の退避状態にして出口１２２を開放することにより紙幣補充庫から送出される紙幣を外部に搬出可能とする。
シャッター片１５７は側面形状が扇形の基部３１２に設けられた複数の爪片であり、軸部３１０を中心として上下方向へ回動する。基部３１２には内壁の一部が屈曲した長穴３１３が設けられており、長穴内にはピン３１５が移動自在に遊嵌されている。ピン３１５にはシャッターリンク３１６の一端が回動自在に連結されている。シャッターリンク３１６の他端はフレーム３０１により移動不能、且つ回転可能に軸支された回動軸３１７に固定されているため、ピン３１５は回動軸３１７を中心とし、且つシャッターリンク長を半径として揺動する。また、シャッターリンク３１６に一端を固定され他端をフレームに固定された引張りバネ３２０は、ソレノイドの非作動時にシャッターリンクを介してピン３１５を図１７（ｂ）に示した下降位置に移動させるように機能するため、シャッター片１５７を突出させて出口１２２を塞ぐ。
【００４７】
ソレノイド３０３のプランジャ３０４には連結片３０５の一端が上下方向へ回動自在に軸支されており、連結片３０５の他端は回動軸３１７と一体化されている。このため、図１７（ｂ）に示したソレノイドの非作動時にはプランジャ３０４が突出すると共に引張りバネ３２０が回動軸３１７、及びシャッターリンク３１６を時計回り方向へ回動させることにより、ピン３１５が長穴３１３内を下降する方向へ移動する。下降する過程でピンは長穴の右内壁を右方向へ押圧することにより基部３１２を反時計回り方向へ回動させる。このため、基部３１２に一体化されたシャッター片１５７は（ｂ）に示すように上方へ突出して出口１２２を塞いだ状態となる。
紙幣補充庫が紙幣処理装置に装着されていない時にはソレノイドに電源が供給されないため、ソレノイドのオフ時にシャッター片が出口を塞ぐように構成することにより、紙幣補充庫が単体で運搬、保管されている段階での不正行為の発生を防止することができる。
【００４８】
一方、紙幣補充庫が紙幣処理装置の装着区画に装着され、且つ図示しないコネクタにより電源に接続されている状態では紙幣補充庫は（ｃ）に示した稼動状態となる。即ち、（ｂ）の非稼働状態にある時にソレノイドをＯＮするとプランジャ３０４が（ｃ）のように引っ込むため、連結片３０５と一体の回動軸３１７及びシャッターリンク３１６が反時計回り方向へ回動してピン３１５が長穴３１３内を上昇する方向へ移動する。ピンが上昇する過程でピンが長穴内壁を介して基部３１２を反時計回り方向へ押圧する力を解除されるため、基部３１２は時計回り方向へ回動開始する。このため、基部３１２に一体化されたシャッター片１５７は（ｃ）に示すように退避状態となって出口１２２を開放する。
【００４９】
＜紙幣補充動作＞
補充庫本体１０１に給紙トレイ２００をセットする前に、給紙トレイの各トレイ片上に各金種の紙幣をセットする作業を実施する。この紙幣セット作業は最下部の第３トレイ片２１１に対する１０元紙幣Ｐ３のセットから開始するため、まずはトレイカバー２３１、第１トレイ片２０１、及び第２トレイ片２１１を一体的に開放して第３トレイ片を露出させてセット作業が行われる。第３トレイ片への１０元紙幣Ｐ３のセット完了後は、順次第２トレイ片への５元紙幣Ｐ２のセット、第１トレイ片への１元紙幣Ｐ１のセットを順次実施し、最後にトレイカバーを閉じる。
各トレイ片上の紙幣束は各後端規制部材２０４、２１４、２２４により搬送方向後端部の位置を規制されることにより先端を揃えた状態となる。また、各トレイ片の側壁により幅方向位置が中央基準でセットされる。
このようにして各金種のセットが完了した給紙トレイ２００を図７に示したように開放状態にある補充庫本体の下部ユニット１２０に配置された受け板１７０上にセットする。給紙トレイを受け板上にセットする手順は図１５に基づいて説明した通りであり、ワンタッチによる装着と取外しが可能である。また、ビスによる固定も可能である。
【００５０】
下部ユニット１２０内に給紙トレイをセットすると図９等に示した状態となり、上部ユニット１３０を閉じることにより図６（ｂ）の状態となる。
図６（ｂ）では最上部に位置する１元紙幣束Ｐ１の搬送方向先端上面にピックアップローラ１６０が接しており、モータ１５２を駆動することによりピックアップローラ１６０が給紙方向へ回転すると最上部の１元紙幣が送出経路１２３へ繰り出され、分離ローラ対１６２、１５４により分離された後でプルローラ１５５により引き出されて出口１２２から排出される。
第１トレイ片２０１上の１元紙幣束Ｐ１が全て送出された後は、図６（ｃ）の状態となり、ピックアップローラ１６０は第２トレイ片２１１上の５元紙幣把Ｐ２の先端上面と接触する。ピックアップローラ１６０が給紙方向へ回転すると最上部の５元紙幣が送出経路１２３へ繰り出され出口１２２から排出される。
【００５１】
第２トレイ片２１１上の５元紙幣束Ｐ２が全て送出された後は、ピックアップローラ１６０は第３トレイ片２２１上の１０元紙幣束Ｐ３の先端上面と接触する。ピックアップローラ１６０が給紙方向へ回転すると最上部の１０元紙幣が送出経路１２３へ繰り出され出口１２２から排出される。
出口を出た後の紙幣の取扱いは、図４において説明した通り、識別部１５を経てエスクロ部２０へ一旦集積されてから金種別に対応する還流式紙幣収納部、或いは回収庫へ搬送される。
サイズが異なる紙幣を専用のトレイ片上にセットすることにより、給紙段階における各紙幣の姿勢を給紙方向、及び幅方向に対して夫々並行に整列させることができ、給紙後における搬送中のジャムや斜行を防止することができる。このため、識別部１５における識別不良の発生率を大幅に低減することが可能となる。
【００５２】
１元紙幣Ｐ１と５元紙幣Ｐ２を夫々還流式紙幣収納部４０内の各還流式ドラムユニット４１、４５に収納する一方で、１０元紙幣Ｐ３を還流式紙幣収納部３０の還流式ドラムユニット３１に収納する場合の操作は次の通りである。
まず、装着区画５６から還流式紙幣収納部３０を取り外してから紙幣補充庫を同装着区画に装着して電源コネクタ、信号コネクタ等を接続する等の必要な操作を完了する。この状態で紙幣補充庫内の第１、第２トレイ片上から装着区画５７内の還流式紙幣収納部４０の各還流式ドラムユニット４１、４５に対して１元紙幣、及び５元紙幣を夫々給送して補充を完了する。次いで、紙幣補充庫１００を取り外さずに装着区画５７内に還流式紙幣収納部３０を還流式紙幣収納部４０と入れ替えて装着してから、還流式紙幣収納部３０内の還流式ドラムユニット３１に対して第３トレイ片上から１０元紙幣の補充を行う。１０元紙幣の補充が完了した段階で、紙幣補充庫を装着区画５６から外すと共に、還流式紙幣収納部３０、４０を夫々の本来の装着区画５６、５７に装着し直す作業を行うことにより、当該紙幣処理装置が稼動できる状態となる。また、還流式紙幣収納部３０、４０は、夫々に付されたＩＤをユニットＩＤにより管理されているため、セット位置としては装着区画５６、５７の何れにも入れ替えてセットすることが可能である。
【００５３】
［本発明の構成、作用、効果のまとめ］
第１の本発明に係る給紙トレイ２００は、紙葉の上面に接して回転することにより紙葉を一枚ずつ給送する給送手段１６０を備えた給紙装置１００に対して装着され、少なくとも、複数枚の第１紙葉Ｐ１を集積状態で載置する第１トレイ片２０１と、第１紙葉と長手方向寸法が異なる第２紙葉Ｐ２を複数枚集積状態で載置すると共に第１トレイ片の直下に並行して配置される第２トレイ片２１１と、第１紙葉束、及び第２紙葉束の搬送方向後端位置を夫々規制することにより各紙葉束の搬送方向先端位置を一定に（所定に）揃える後端規制部材２０４、２１４と、第１紙葉束、及び第２紙葉束の幅方向位置を規制する幅方向規制部材２１６と、を備え、第１トレイ片上の第１紙葉束が給送手段によって給送され尽くした後で、第２トレイ片上の第２紙葉束の最上面が給送手段と接触可能な状態となることを特徴とする。
この給紙トレイは、サイズが異なる複数の紙葉（紙葉束）をサイズ別に区分けして積層収納することができ、給送手段により上方に位置する紙葉束の紙葉から給送を開始し、一つの紙葉束の給送終了後に順次直下に位置する次の紙葉束の給送を連続して実施することが可能となる。個々のトレイ片に設けた後端規制部材により紙葉の搬送方向後端の位置を規制することにより各紙幣束の搬送方向先端位置を所定に整列させることが可能となるため、給送手段による連続給送が可能となる。また、個々のトレイ片に設けた幅方向規制部材により各紙幣束の幅方向位置を所定に規制することができるため、給送後に識別部を通過する際に精度の高い識別を受けることが可能となる。
トレイ片の個数に限定はなく、三個でも四個でもよい。上側のトレイ片にセットされる紙葉のサイズを下側のトレイ片上の紙幣よりも小さくしてもよいし、逆に大きくしてもよい。
各トレイ片上の紙幣束は、各トレイ片の搬送方向先端縁から突出（オーバーハング）しており、且つ上下位置関係で接触している。このため、給送手段による連続給送が可能となる。
【００５４】
第２の本発明に係る給紙トレイ２００では、各トレイ片は、夫々の搬送方向後端部を回動自在に連結されていることを特徴とする。
各トレイ片は単に積み上げ状態で組み付けるようにしてもよいが、一端部を回動自在に軸支することにより紙葉のセット作業性、その他の取扱性が良くなる。
【００５５】
第３の本発明に係る給紙装置１００は、開閉自在に連結された２つのケーシング１１２、１１４と、２つのケーシングが開放状態にある時に一方のケーシング１１２に着脱自在にセットされる給紙トレイ２００と、各トレイ片に各紙葉束をセットした状態にある給紙トレイを内部にセットした状態で２つのケーシングが閉じられた状態にある時に、給送手段１６０を駆動することにより第１紙葉束の給送と第２紙葉束の給送を順次実施する給紙機構１５０と、を備えたことを特徴とする。
サイズの異なる紙葉をサイズ別にしてセットできる給紙トレイを給紙装置に対して着脱自在に組み込む構成としたことにより、一種類の紙葉の給紙は勿論、複数種類の紙葉の連続給紙も可能となる。
【００５６】
第４の本発明に係る給紙装置１００では、一方のケーシング１１２は、一端を回動自在に軸支されると共に弾性部材１８１により突出方向へ付勢された受け板１７０を備え、給紙トレイ２００は受け板上に取り付けられることを特徴とする。
各トレイ片上に夫々の紙葉束を積載した給紙トレイは、上下方向へ回動すると共に突出方向へ弾性付勢された受け板上に取り付けられることにより、給送手段１６０による給紙が進行して紙葉束の残枚数が減少するのに応じて給紙トレイが上昇するため、給紙トレイ上の紙幣束の上面に対して給送手段を常に最適の給紙圧で接触させることが可能となる。
【００５７】
第５の本発明に係る給紙装置１００は、還流式紙葉収納部３０、４０を夫々着脱自在に装着する複数の装着区画５６、５７を備えた還流式紙葉処理装置の装着区画に対して着脱自在に装着される紙葉補充庫であることを特徴とする。
装着区画の個数に制限はない。給紙装置を紙葉補充庫として利用することにより、一つの紙葉補充庫を用いて複数の還流式紙葉収納部への紙葉補充を連続的に実現でき、作業時間の向上、作業労力の低減、管理手数の低減を図ることができる。
【００５８】
第６の本発明に係る還流式紙葉処理装置によれば、前記の給紙装置を紙葉補充庫として利用することによるメリットを全て享受することができる。
【符号の説明】
【００５９】
１…紙幣（紙葉）処理装置、３…筐体、５…入出金口、７…返却口、９ａ…各搬送経路、９ａ…収納紙幣搬送経路、９ａ…入金紙幣搬送経路、９ｂ…収納紙幣搬送経路、１１…一括入金部、１３…センタリング部、１５…識別部、２０…エスクロ部、２１…エスクロドラム、２２…集積部、２４…紙幣収納部、２３…ドラム、３０…還流式紙幣収納部、３１、３５…還流ドラム、４０…還流式紙幣収納部、４１、４５…各還流式ドラムユニット、５０…回収庫、５６、５７…装着区画、１００…紙幣補充庫、１０１…補充庫本体、１１０…ケーシング、１１２…下部ケーシング、１１４…上部ケーシング、１２０…下部ユニット、１２１…軸支部、１２２…出口、１２３…送出経路、１２５…給紙トレイセット部、１２６…ガイド保持部、１２６ａ…壁部、１２６ｂ…溝、１３０…上部ユニット、１３５…給紙トレイ収容部、１５０…給紙機構、１５０Ａ…下部給紙機構、１５０Ｂ…上部給紙機構、１５２…モータ、１５４…ストップローラ、１５５…プルローラ、１５７…シャッター片、１６０…ピックアップローラ、１６２…フィードローラ、１６２、１５４…分離ローラ対、１６４…テンションローラ、１７０…受け板、１７１…底板、１７２…軸穴、１７３…前部ガイド保持部、１７３ａ…溝、１７５…ビス穴、１７６…受口、１７８…パッド、１８０…回転軸、１８１…弾性部材、１８４…受け板ストッパ、１９０…サイドガイド、１９２…エンドガイド、２００…給紙トレイ、２０１…第１トレイ片、２０２…底板、２０２ａ…凹所、２０４、２１４、２２４…後端規制部材、２０６…軸穴、２１１…第２トレイ片、２１２…底板、２１２ａ…凹所、２１４…後端規制部材、２１６…側板、２１８…軸穴、２２１…第３トレイ片、２２２…底板、２２４…後端規制部材、２２６…側板、２２７…軸穴、２２８…係合片、２２９…ラッチ、２３１…トレイカバー、２３２…軸穴、２３３…開口、２４１…回動軸、２５１…軸支部、３００…シャッター機構、３０１…フレーム、３０３…ソレノイド、３０４…プランジャ、３０５…連結片、３１０…軸部、３１２…基部、３１３…長穴、３１５…ピン、３１６…シャッターリンク、３１７…回動軸、３２０…バネ、５００…制御手段。
【図１】
2019177971.tif 000003
【図２】
2019177971.tif 000004
【図３】
2019177971.tif 000005
【図４】
2019177971.tif 000006
【図５】
2019177971.tif 000007
【図６】
2019177971.tif 000008
【図７】
2019177971.tif 000009
【図８】
2019177971.tif 000010
【図９】
2019177971.tif 000011
【図１０】
2019177971.tif 000012
【図１１】
2019177971.tif 000013
【図１２】
2019177971.tif 000014
【図１３】
2019177971.tif 000015
【図１４】
2019177971.tif 000016
【図１５】
2019177971.tif 000017
【図１６】
2019177971.tif 000018
【図１７】
2019177971.tif 000019
【手続補正書】
【提出日】平成30年9月26日(2018.9.26)
【手続補正１】
【補正対象書類名】特許請求の範囲
【補正対象項目名】請求項１
【補正方法】変更
【補正の内容】
【請求項１】
紙葉の上面に接して回転することにより紙葉を一枚ずつ給送する給送手段を備えた給紙装置に対して装着される給紙トレイであって、
前記給紙トレイは、少なくとも、複数枚の第１紙葉を集積状態で載置する第１トレイ片と、前記第１紙葉と長手方向寸法が異なる第２紙葉を複数枚集積状態で載置すると共に前記第１トレイ片の直下に配置される第２トレイ片と、前記第１紙葉束、及び前記第２紙葉束の搬送方向後端位置を夫々規制することにより各紙葉束の搬送方向先端位置を所定に揃える後端規制部材と、第１紙葉束、及び第２紙葉束の幅方向位置を規制する幅方向規制部材と、を備え、
前記第１トレイ片上の第１紙葉束が前記給送手段によって給送され尽くした後で、前記第２トレイ片上の第２紙葉束の最上面が前記給送手段と接触可能な状態となり、
前記各トレイ片は、前記給送手段が前記各紙葉束と接する範囲を除いて、前記トレイ片を介して隣接し合う前記紙葉束間を非接触状態とする手段であることを特徴とする給紙トレイ。
【手続補正２】
【補正対象書類名】特許請求の範囲
【補正対象項目名】請求項３
【補正方法】変更
【補正の内容】
【請求項３】
開閉自在に連結された２つのケーシングと、前記２つのケーシングが開放状態にある時に一方の前記ケーシングに着脱自在にセットされる給紙トレイと、前記各トレイ片に前記各紙葉束をセットした状態にある前記給紙トレイを内部にセットした状態で前記２つのケーシングが閉じられた状態にある時に、前記給送手段を駆動することにより前記第１紙葉束の給送と第２紙葉束の給送を順次実施する給紙機構と、を備え、
前記給紙トレイは、
紙葉の上面に接して回転することにより紙葉を一枚ずつ給送する給送手段を備えた給紙装置に対して装着されるものであって、
少なくとも、複数枚の第１紙葉を集積状態で載置する第１トレイ片と、前記第１紙葉と長手方向寸法が異なる第２紙葉を複数枚集積状態で載置すると共に前記第１トレイ片の直下に配置される第２トレイ片と、前記第１紙葉束、及び前記第２紙葉束の搬送方向後端位置を夫々規制することにより各紙葉束の搬送方向先端位置を所定に揃える後端規制部材と、第１紙葉束、及び第２紙葉束の幅方向位置を規制する幅方向規制部材と、を備え、
前記第１トレイ片上の第１紙葉束が前記給送手段によって給送され尽くした後で、前記第２トレイ片上の第２紙葉束の最上面が前記給送手段と接触可能な状態となることを特徴とする給紙装置。
【手続補正３】
【補正対象書類名】明細書
【補正対象項目名】０００７
【補正方法】変更
【補正の内容】
【０００７】
上記目的を達成するため、本発明の給紙トレイは、紙葉の上面に接して回転することにより紙葉を一枚ずつ給送する給送手段を備えた給紙装置に対して装着される給紙トレイであって、前記給紙トレイは、少なくとも、複数枚の第１紙葉を集積状態で載置する第１トレイ片と、前記第１紙葉と長手方向寸法が異なる第２紙葉を複数枚集積状態で載置すると共に前記第１トレイ片の直下に配置される第２トレイ片と、前記第１紙葉束、及び前記第２紙葉束の搬送方向後端位置を夫々規制することにより各紙葉束の搬送方向先端位置を所定に揃える後端規制部材と、第１紙葉束、及び第２紙葉束の幅方向位置を規制する幅方向規制部材と、を備え、前記第１トレイ片上の第１紙葉束が前記給送手段によって給送され尽くした後で、前記第２トレイ片上の第２紙葉束の最上面が前記給送手段と接触可能な状態となり、前記各トレイ片は、前記給送手段が前記各紙葉束と接する範囲を除いて、前記トレイ片を介して隣接し合う前記紙葉束間を非接触状態とする手段であることを特徴とする。